【手続補正書】
【提出日】令和3年4月15日(2021.4.15)
【手続補正１】
【補正対象書類名】特許請求の範囲
【補正対象項目名】全文
【補正方法】変更
【補正の内容】
【特許請求の範囲】
【請求項１】
制御可能な照度及び色温度を有する光出力を生成するように動作可能な照明アセンブリと、
前記照明アセンブリに動作可能に結合されているコントローラと
を備える光線療法システムであって、前記コントローラは、
前記照明アセンブリによって付与するための目標メラノピック露光量を示すデータ入力を受信することと、
光の複数の異なる色温度の相対メラノピック効果に対応する１つ又は複数のメラノピック重み付け係数をデータストアから取り出すことと、
規定の処置期間にわたって総計で前記目標メラノピック露光量を与えるために、前記メラノピック重み付け係数に基づいて、前記照明アセンブリの前記照度及び色温度値を経時的に制御するための制御スケジュールを作成することと、
前記制御スケジュールに従って前記照明アセンブリを制御することと
を行う、光線療法システム。
【請求項２】
前記コントローラはさらに、１つ又は複数の好ましい色温度値を示す色選好データを受信し、前記処置期間のうちの少なくとも一部分にわたって、前記光出力の前記色温度が前記好ましい色温度値を有するように、前記制御スケジュールを作成する、請求項１に記載の光線療法システム。
【請求項３】
前記コントローラは、予め記憶されているスケジュールテンプレートに基づいて前記制御スケジュールを作成し、前記スケジュールテンプレートは、固定時間部分及び設定可能時間部分を含み、前記コントローラは、前記設定可能時間部分を決定し、前記固定時間部分及び前記設定可能時間部分の２つは、前記目標メラノピック露光量を与える、請求項１又は２に記載の光線療法システム。
【請求項４】
前記コントローラは、前記設定可能時間部分の間の平均照度レベルが、前記固定時間部分の間の平均照度レベルよりも大きいように、前記制御スケジュールを作成する、請求項３に記載の光線療法システム。
【請求項５】
前記予め記憶されているスケジュールテンプレートは、複数の中間の固定時間部分によって分離されている、複数の設定可能時間部分を含む、請求項３又は４に記載の光線療法システム。
【請求項６】
前記コントローラはさらに、前記処置期間の間の前記光出力の前記照度の上限及び下限の指示、並びに、前記処置期間の少なくとも設定可能時間部分の持続時間の上限及び下限の指示を前記データストアから取り出し、前記色温度値に従って前記制御スケジュールの少なくとも設定可能時間部分を作成する、請求項１から５のいずれか一項に記載の光線療法システム。
【請求項７】
前記光線療法システムは、前記目標メラノピック露光量を示す前記データ入力を受信するためのユーザ入力デバイスと、ユーザ出力デバイスとをさらに備え、前記目標メラノピック露光量の受信の前に、前記コントローラは、
前記照度及び前記持続時間の前記上限及び前記下限に基づいて、光色温度のセットの各々について前記照明アセンブリを使用して付与可能な最大及び最小メラノピック露光量を決定することと、
各色温度の決定されている前記上限及び前記下限を通信するように前記ユーザ出力デバイスを制御することとを行う、請求項６に記載の光線療法システム。
【請求項８】
前記コントローラはさらに、
前記照度及び前記持続時間の前記上限及び前記下限に基づいて、前記目標メラノピック露光量を与えるのに十分な以下のパラメータ、すなわち、
前記制御スケジュールの少なくとも設定可能時間部分の間の前記光出力の色温度、
前記制御スケジュールの少なくとも設定可能時間部分の持続時間、及び
前記制御スケジュールの少なくとも制御可能時間部分の間の前記光出力の照度レベル
のうちの少なくとも１つの最大値及び最小値を決定することと、
決定された前記最大値及び前記最小値を通信するように前記ユーザ出力デバイスを制御することと、
前記ユーザ入力デバイスから、前記パラメータのうちの１つ又は複数の好ましい値を示すデータ入力を受信することと、
前記光出力が、前記処置期間の少なくとも一部分について、前記好ましい値と一致するように、前記制御スケジュールを作成することとを行う、請求項７に記載の光線療法システム。
【請求項９】
前記データストアは、前記コントローラに含まれるか、又は、前記データストアは、前記光線療法システムから遠隔している、請求項１から８のいずれか一項に記載の光線療法システム。
【請求項１０】
前記照明アセンブリは、各々がそれぞれのスペクトル放出プロファイルを有する複数の光源を備え、前記光出力の前記色温度の制御は、予め記憶されている設定データに基づいて、前記複数の光源の各々の光レベルを決定することを含む、請求項１から９のいずれか一項の光線療法システム。
【請求項１１】
前記光線療法システムは、ユーザの眼が開いているか又は閉じているかを検出するための眼状態センサをさらに備え、前記眼状態センサは、前記コントローラと動作可能に結合され、前記コントローラは、前記目標メラノピック露光量が与えられることを保証するために、前記眼状態センサからの読み値に基づいて前記制御スケジュールの少なくとも設定可能時間部分の間に前記光出力の持続時間、前記照度、及び／又は色温度を調整し、
前記コントローラは、規定の検知期間にわたる前記眼状態センサからの読み値に基づいて、ユーザの眼が閉じられていた総計時間期間を計算し、前記総計時間期間だけ、前記制御スケジュールの少なくとも設定可能時間部分の持続時間を延長する、請求項１から１０のいずれか一項に記載の光線療法システム。
【請求項１２】
前記光線療法システムは、前記コントローラと動作可能に結合され、使用時に、前記照明アセンブリの光路内にユーザが存在するか否かを検出する存在センサをさらに備え、前記コントローラは、前記目標メラノピック露光量が与えられることを保証するために、前記存在センサからの読み値に基づいて前記制御スケジュールの少なくとも設定可能時間部分の間に前記光出力の持続時間、前記照度、及び／又は色温度を調整する、請求項１から１１のいずれか一項に記載の光線療法システム。
【請求項１３】
前記光線療法システムは、ユーザに近接する光レベルを検出する光レベルセンサをさらに備え、前記コントローラは、前記目標メラノピック露光量が与えられることを保証するために、前記光レベルセンサからの読み値に基づいて前記制御スケジュールの少なくとも設定可能時間部分の間に前記光出力の持続時間、前記照度、及び／又は色温度を調整し、前記光レベルセンサは、ユーザの１つ又は複数の眼に近接して配置される、請求項１から１２のいずれか一項に記載の光線療法システム。
【請求項１４】
前記コントローラはさらに、
ユーザの年齢の指示をデータストアから取り出すことと、
種々の年齢のユーザの光に対する平均感受性に基づいて、年齢重み付け係数のセットをデータストアから取り出すことと、
前記目標メラノピック露光量が与えられることを保証するために、取り出されている前記年齢及び取り出されている前記年齢重み付け係数に基づいて、前記制御スケジュールの少なくとも設定可能時間部分の間に前記光出力の持続時間、前記照度及び／又は色温度を調整することとを行う、請求項１から１３のいずれか一項に記載の光線療法システム。
【請求項１５】
目標メラノピック露光量を与えるように照明アセンブリを制御するステップを含む、光治療方法であって、前記照明アセンブリは、制御可能な照度及び色温度を有する光出力を生成するように動作可能であり、前記光治療方法は、
前記照明アセンブリによって付与するための目標メラノピック露光量を示すデータ入力を受信するステップと、
光の複数の異なる色温度の相対メラノピック効果に対応する１つ又は複数のメラノピック重み付け係数をデータストアから取り出すステップと、
前記メラノピック重み付け係数に基づいて、規定の処置期間にわたって総計で前記目標メラノピック露光量を与えるために、前記照明アセンブリの前記照度及び色温度値を経時的に制御するための制御スケジュールを作成するステップと、
前記制御スケジュールに従って前記照明アセンブリを制御するステップと
を含む、光治療方法。